【手続補正書】
【提出日】平成31年3月18日(2019.3.18)
【手続補正１】
【補正対象書類名】明細書
【補正対象項目名】０００５
【補正方法】変更
【補正の内容】
【０００５】
なお、特開平７−２３１３９１号公報（特許文献１）は、ページ記述言語で記述された画像データの圧縮において属性データに応じて選択された圧縮処理を行う技術を開示している。
【手続補正２】
【補正対象書類名】明細書
【補正対象項目名】０００７
【補正方法】変更
【補正の内容】
【０００７】
特開平５−１５５０７２号公報（特許文献３）は、ホスト装置から入力したビットマップデータを複数の形態で圧縮し、最もデータ量が小さくなる圧縮形態を選択する技術を開示している。
【手続補正３】
【補正対象書類名】明細書
【補正対象項目名】０００８
【補正方法】変更
【補正の内容】
【０００８】
【特許文献１】特開平７−２３１３９１号公報
【特許文献２】特開平９−２００７５０号公報
【特許文献３】特開平５−１５５０７２号公報
【手続補正４】
【補正対象書類名】明細書
【補正対象項目名】００１８
【補正方法】変更
【補正の内容】
【００１８】
上述されているように、２つの画像の類似度（又は、２つの画像の画像データの類似度）は、最も典型的には、各画素の各色の階調値又は各画素の輝度値のＳＡＤ又はＳＳＤに基づいて算出される。例えば、比較画像＃１、＃２と参照画像の画像データがいずれもＲＧＢフォーマットで記述されている場合、比較画像＃１と参照画像の類似度Ｓ１及び比較画像＃２と参照画像の類似度Ｓ２は、最も単純には、ＳＡＤに基づく下記の式（３ａ）、（３ｂ）で算出され得る：
【数２】
2017191413.tif 000001
ここで、Ｒ１ｉ、Ｇ１ｉ、Ｂ１ｉは、それぞれ、比較画像＃１の画像データに記述された画素ｉのＲ階調値、Ｇ階調値及びＢ階調値（即ち、赤、緑、青の階調値）であり、Ｒ２ｉ、Ｇ２ｉ、Ｂ２ｉは、比較画像＃２の画像データに記述された画素ｉのＲ階調値、Ｇ階調値及びＢ階調値である。また、ＲＲＥＦｉ、ＧＲＥＦｉ、ＢＲＥＦｉは、それぞれ、参照画像の画像データに記述された画素ｉのＲ階調値、Ｇ階調値及びＢ階調値である。Σは、全画素についての和を表している。
【手続補正５】
【補正対象書類名】明細書
【補正対象項目名】００２１
【補正方法】変更
【補正の内容】
【００２１】
図１に示された比較画像＃１、＃２及び参照画像について、式（３ａ）、（３ｂ）に従って比較画像＃１と参照画像の類似度Ｓ１及び比較画像＃２と参照画像の類似度Ｓ２を算出すると、類似度Ｓ１、Ｓ２は、下記のように得られる： 
Ｓ１＝｜１００−９９｜＋｜１００−９９｜＋｜１００−９９｜＋
｜５０−５０｜＋｜５０−５０｜＋｜５０−５０｜＋
｜５０−５０｜＋｜５０−５０｜＋｜５０−５０｜＋
｜１００−１００｜＋｜１００−１００｜＋｜１００−１００｜
＝３
Ｓ２＝｜１００−１００｜＋｜１００−１００｜＋｜１００−１００｜＋
｜５０−４９｜＋｜５０−４９｜＋｜５０−４９｜＋
｜５０−５０｜＋｜５０−５０｜＋｜５０−５０｜＋
｜１００−１００｜＋｜１００−１００｜＋｜１００−１００｜
＝３
即ち、式（３ａ）、（３ｂ）に従って算出した類似度Ｓ１及びＳ２は同一である。
【手続補正６】
【補正対象書類名】明細書
【補正対象項目名】００２４
【補正方法】変更
【補正の内容】
【００２４】
図２は、表示装置の入出力特性の一例を示すグラフである。表示装置の入出力特性は、一般に、非線形である。入力として与えられた画像データに、特定の画素の特定の色（例えば、赤色、緑色、又は青色）の階調値が記述されている場合、最も典型的には、表示装置の表示画面における該特定の画素の該特定の色の副画素の輝度は、該階調値のγ乗に比例する。γは、ガンマ値と呼ばれるパラメータであり、例えば、液晶表示装置やＯＬＥＤ（organic light emitting diode）表示装置のようなパネル表示装置では、通常、ガンマ値γは２．２に設定される。
【手続補正７】
【補正対象書類名】明細書
【補正対象項目名】００４４
【補正方法】変更
【補正の内容】
【００４４】
図５の画像処理装置１０は、ＲＧＢフォーマットで与えられた画像Ｐ、Ｑの類似度Ｓを算出するように構成されている。図５において、画像Ｐの画素ｉの画像データは、記号“ＤＰｉ”で示されており、画像Ｑの画素ｉの画像データは、記号“ＤＱｉ”で示されている。画像Ｐの画素ｉの画像データＤＰｉは、画素ｉのＲ階調値ＲＰｉ、Ｇ階調値ＧＰｉ及びＢ階調値ＢＰｉを含んでいる。同様に、画像Ｑの画素ｉの画像データＤＱｉは、画素ｉのＲ階調値ＲＱｉ、Ｇ階調値ＧＱｉ、Ｂ階調値ＢＱｉを含んでいる。
【手続補正８】
【補正対象書類名】明細書
【補正対象項目名】００４６
【補正方法】変更
【補正の内容】
【００４６】
同様に、ＲＧＢ階調データ変換回路１２は、Ｒ変換ブロック１２Ｒ、Ｇ変換ブロック１２Ｇ及びＢ変換ブロック１２Ｂを備えている。ＲＧＢ階調データ変換回路１２には、画像Ｑの各画素ｉの画像データＤＱｉが順次に与えられる。ＲＧＢ階調データ変換回路１２のＲ変換ブロック１２Ｒは、画像Ｑの各画素ｉの画像データＤＱｉのＲ階調値ＲＱｉに対して上述の関数ｆ（ｘ）を適用し、値ｆ（ＲＱｉ）を算出する回路を備えている。同様に、Ｇ変換ブロック１２Ｇは、画像Ｑの各画素ｉの画像データＤＱｉのＧ階調値ＧＱｉに対して上述の関数ｆ（ｘ）を適用し、値ｆ（ＧＱｉ）を算出する回路を備えており、Ｂ変換ブロック１２Ｂは、画像Ｑの各画素ｉの画像データＤＱｉのＢ階調値ＢＱｉに対して上述の関数ｆ（ｘ）を適用し、値ｆ（ＢＱｉ）を算出する回路を備えている。
【手続補正９】
【補正対象書類名】明細書
【補正対象項目名】００５１
【補正方法】変更
【補正の内容】
【００５１】
図６に図示されている画像処理装置１０Ａは、図５に図示されている画像処理装置１０と類似した構成を有しているが、画像データ変換回路１６、１７を追加的に備えている。画像データ変換回路１６は、ＲＧＢフォーマット以外のフォーマットを有する画像Ｐの画像データＤＰ＾を受け取り、画像データＤＰ＾から画像Ｐの各画素ｉのＲＧＢフォーマットの画像データＤＰｉを生成する。同様に、画像データ変換回路１７は、ＲＧＢフォーマット以外のフォーマットを有する画像Ｑの画像データＤＱ＾を受け取り、画像データＤＱ＾から画像Ｑの各画素ｉのＲＧＢフォーマットの画像データＤＱｉを生成する。ＲＧＢ階調データ変換回路１１、１２と類似度演算回路１３の動作は、上述されている通りであり、類似度演算回路１３から画像Ｐ、Ｑの類似度Ｓを示すデータが出力される。
【手続補正１０】
【補正対象書類名】明細書
【補正対象項目名】００５４
【補正方法】変更
【補正の内容】
【００５４】
上述された本実施形態における画像の類似度の算出手法は、様々な画像処理に用いられ得る。例えば、画像圧縮において、複数の圧縮処理から最適な圧縮処理を選択するために用いてもよい。図８は、このような動作を実行する圧縮回路３０の構成の例を示すブロック図である。
【手続補正１１】
【補正対象書類名】明細書
【補正対象項目名】００７９
【補正方法】変更
【補正の内容】
【００７９】
本実施形態では、プロセッサ４３から受け取った画像データを圧縮して圧縮データを生成し、該圧縮データを画像メモリ５３に供給する圧縮回路５２として、図８に図示されている圧縮回路３０が使用される。これにより、表示パネル４１に実際に表示される画像における圧縮歪みが小さい圧縮処理によって生成された圧縮データを生成することができる。
【手続補正１２】
【補正対象書類名】明細書
【補正対象項目名】００８１
【補正方法】変更
【補正の内容】
【００８１】
タイミングコントローラ４４は、圧縮回路４４ａと、通信インターフェース４４ｂと、設定レジスタ４４ｃ、４４ｄとを備えている。圧縮回路４４ａは、表示パネル４１に表示すべき画像に対応する画像データを受け取り、該画像データを圧縮して圧縮データを生成する。図９Ｂの表示装置４０Ａでは、圧縮回路４４ａとして、図８に図示されている圧縮回路３０が使用される。通信インターフェース４４ｂは、圧縮回路４４ａによって生成された圧縮データを表示ドライバ４２Ａに送信し、更に、表示ドライバ４２Ａの動作を制御する制御データを表示ドライバ４２Ａに送信する。
【手続補正１３】
【補正対象書類名】明細書
【補正対象項目名】００８２
【補正方法】変更
【補正の内容】
【００８２】
設定レジスタ４４ｃは、圧縮回路４４ａにおいて用いられる関数ｆ（ｘ）の係数を指定する設定パラメータを保持する。このような構成では、設定レジスタ４４ｃに保持されている設定パラメータを変更することで、関数ｆ（ｘ）を変更可能である。例えば、関数ｆ（ｘ）が、下記式
ｆ（ｘ）＝ｘ＾γ
で定義される場合（例えば、圧縮回路４４ａにおいて式（８）に従って類似度が算出される場合）、γを指定する設定パラメータが設定レジスタ４４ｃに保持されてもよい。この場合、γとして、表示装置４０Ａのガンマ値又は表示パネル４１のガンマ値が用いられることが好ましい。
【手続補正１４】
【補正対象書類名】明細書
【補正対象項目名】００８３
【補正方法】変更
【補正の内容】
【００８３】
また、表示装置４０Ａのガンマ値又は表示パネル４１のガンマ値がγである場合には、関数ｆ（ｘ）として、ｘ＾γを近似する折れ線関数又はｘ＾γを近似する多項式関数が用いられることが好ましい。このとき、関数ｆ（ｘ）が、折れ線関数である場合には、該折れ線関数のグラフを構成する各線分を規定する式の係数を指定する設定パラメータが設定レジスタ４４ｃに保持されてもよい。更に、関数ｆ（ｘ）が、ｘの多項式として表される場合には、該多項式の各項の係数を指定する設定パラメータが設定レジスタ４４ｃに保持されてもよい。
【手続補正１５】
【補正対象書類名】明細書
【補正対象項目名】００８８
【補正方法】変更
【補正の内容】
【００８８】
詳細には、図１０に図示されているように、動き検出回路６０は、動き生成ブロック６１１〜６１Ｎと、ＲＧＢ階調データ変換回路６２１〜６２Ｎ、６３と、動きベクトル選択回路６４とを備えている。動き生成ブロック６１１〜６１Ｎは、現フレーム画像データ（現フレーム画像の画像データ）を受け取り、現フレーム画像について該特定ブロックを特定の移動方向に特定の移動量だけ移動させた画像に対応する画像データである移動データを生成する。ここで、動き生成ブロック６１ｋは（ｋは、１以上Ｎ以下の整数）、現フレーム画像について該特定ブロックを移動方向＃ｋに移動量＃ｋだけ移動させた画像に対応する画像データである移動データ＃ｋを生成する。図１２は、移動方向＃１〜＃Ｎ及び移動量＃１〜＃Ｎの定義の例を示しており、移動方向＃１〜＃８及び移動量＃１〜＃８が図示されている。
【手続補正１６】
【補正対象書類名】明細書
【補正対象項目名】００９４
【補正方法】変更
【補正の内容】
【００９４】
１０、１０Ａ：画像処理装置
１１        ：ＲＧＢ階調データ変換回路
１１Ｂ      ：Ｂ変換ブロック
１１Ｇ      ：Ｇ変換ブロック
１１Ｒ      ：Ｒ変換ブロック
１２        ：ＲＧＢ階調データ変換回路
１２Ｂ      ：Ｂ変換ブロック
１２Ｇ      ：Ｇ変換ブロック
１２Ｒ      ：Ｒ変換ブロック
１３        ：類似度演算回路
１４、１５  ：設定レジスタ
１６、１７  ：画像データ変換回路
２０        ：画像処理装置
２１        ：プロセッサ
２２        ：主記憶装置
２３        ：入力装置
２４        ：表示装置
２５        ：外部記憶装置
２６        ：画像処理ソフトウェア
２７        ：データファイル
２８        ：非一時的記録媒体
３０        ：圧縮回路
３１１、３１２、３１３：圧縮ブロック
３２１、３２２、３２３：展開ブロック
３３１、３３２、３３３：ＲＧＢ階調データ変換回路
３４        ：ＲＧＢ階調データ変換回路
３５        ：圧縮データ選択回路
３６、３７  ：設定レジスタ
４０、４０Ａ：表示装置
４１        ：表示パネル
４１ａ      ：表示部
４１ｂ      ：ＧＩＰ回路
４２、４２Ａ：表示ドライバ
４３        ：プロセッサ
４４        ：タイミングコントローラ
４４ａ      ：圧縮回路
４４ｂ      ：通信インターフェース
４４ｃ、４４ｄ：設定レジスタ
５０        ：表示装置
５１        ：命令制御回路
５２        ：圧縮回路
５３        ：画像メモリ
５４        ：展開回路
５５        ：ソース線駆動回路
５６        ：階調発生回路
５７        ：タイミング制御回路
５８、５９  ：設定レジスタ
６０        ：動き検出回路
６１１〜６１Ｎ：動き生成ブロック
６２１〜６２Ｎ：ＲＧＢ階調データ変換回路
６３        ：ＲＧＢ階調データ変換回路
６４        ：動きベクトル選択回路
７１        ：画像要素
７２        ：位置
【手続補正１７】
【補正対象書類名】特許請求の範囲
【補正対象項目名】全文
【補正方法】変更
【補正の内容】
【特許請求の範囲】
【請求項１】
第１画像の各画素ｉについて、前記第１画像の各画素ｉのＲ階調値ＲＰｉ、Ｇ階調値ＧＰｉ及びＢ階調値ＢＰｉに、関数ｆ（ｘ）をそれぞれに適用して得られる値ｆ（ＲＰｉ）、ｆ（ＧＰｉ）、ｆ（ＢＰｉ）を算出する手段と、
第２画像の各画素ｉについて、前記第２画像の各画素ｉのＲ階調値ＲＱｉ、Ｇ階調値ＧＱｉ及びＢ階調値ＢＱｉに、前記関数ｆ（ｘ）をそれぞれに適用して得られる値ｆ（ＲＱｉ）、ｆ（ＧＱｉ）、ｆ（ＢＱｉ）を算出する手段と、
前記第１画像と前記第２画像の類似度を、前記第１画像及び前記第２画像の各画素ｉの｜ｆ（ＲＰｉ）−ｆ（ＲＱｉ）｜、｜ｆ（ＧＰｉ）−ｆ（ＧＱｉ）｜及び｜ｆ（ＢＰｉ）−ｆ（ＢＱｉ）｜に依存して算出する手段
とを具備し、
前記関数ｆ（ｘ）が、Ｒ階調値ＲＰｉ、ＲＱｉ、Ｇ階調値ＧＰｉ、ＧＱｉ、及びＢ階調値ＢＰｉ、ＢＱｉの許容最小値を下限とし、Ｒ階調値ＲＰｉ、ＲＱｉ、Ｇ階調値ＧＰｉ、ＧＱｉ、及びＢ階調値ＢＰｉ、ＢＱｉの許容最大値を上限とする定義域を有し、前記定義域において広義に単調に増加する凸関数である
画像処理装置。
【請求項２】
請求項１に記載の画像処理装置であって、
前記第１画像と前記第２画像の前記類似度Ｓは、下記式（１）：
【数１】
2017191413.tif 000002
に従って算出される
画像処理装置。
ここで、Σは、前記第１画像と前記第２画像の全画素についての和を表しており、ｇ（ｘ，ｙ，ｚ）は、定数関数でない関数である。
【請求項３】
請求項１に記載の画像処理装置であって、
前記第１画像と前記第２画像の前記類似度Ｓが、下記式（２）：
【数２】
2017191413.tif 000003
に従って算出される
画像処理装置。
ここで、ｐは、０でない数であり、ＫＲ、ＫＧ、ＫＢは、前記類似度Ｓの算出において、それぞれ、赤、緑、青に与えられる重み付け係数である。
【請求項４】
請求項１に記載の画像処理装置であって、
前記第１画像と前記第２画像の前記類似度Ｓが、下記式（３）：
【数３】
2017191413.tif 000004
に従って算出される
画像処理装置。
ここで、ＫＲ、ＫＧ、ＫＢは、前記類似度Ｓの算出において、それぞれ、赤、緑、青に与えられる重み付け係数である。
【請求項５】
請求項１に記載の画像処理装置であって、
前記第１画像と前記第２画像の前記類似度Ｓが、下記式（４）：
に従って算出される
【数４】
2017191413.tif 000005
画像処理装置。
ここで、ＫＲ、ＫＧ、ＫＢは、前記類似度Ｓの算出において、それぞれ、赤、緑、青に与えられる重み付け係数であり、γは、所定の定数である。
【請求項６】
請求項１乃至５のいずれかに記載の画像処理装置であって、
前記関数ｆ（ｘ）として、ｘ＾γ（γは所定の定数）を近似する折れ線関数が用いられる
画像処理装置。
【請求項７】
請求項１乃至５のいずれかに記載の画像処理装置であって、
前記関数ｆ（ｘ）として、ｘ＾γ（γは所定の定数）を近似する多項式関数が用いられる
画像処理装置。
【請求項８】
請求項６又は７に記載の画像処理装置であって、
前記γが、前記第１画像及び前記第２画像の画像データが用いられる表示装置のガンマ値である
画像処理装置。
【請求項９】
請求項４に記載の画像処理装置であって、
前記重み付け係数ＫＲ、ＫＧ、ＫＢは、前記第１画像及び前記第２画像の画像データが用いられる表示装置が有する表示パネルの色域に基づいて設定されている
画像処理装置。
【請求項１０】
請求項１乃至４のいずれかに記載の画像処理装置であって、
更に、
前記関数ｆ（ｘ）に含まれる係数を指定する第１設定パラメータを保持する第１設定レジスタを具備する
画像処理装置。
【請求項１１】
請求項２に記載の画像処理装置であって、
更に、
前記ｇ（ｘ，ｙ，ｚ）に含まれる係数を指定する第２設定パラメータを保持する第２設定レジスタを具備する
画像処理装置。
【請求項１２】
請求項４又は５の画像処理装置であって、
更に、
前記重み付け係数ＫＲ、ＫＧ、ＫＢを指定する第２設定パラメータを保持する第２設定レジスタを具備する
画像処理装置。
【請求項１３】
画像データに対し、それぞれ、第１乃至第Ｎ圧縮処理を行って第１乃至第Ｎ圧縮データを生成する圧縮回路部（Ｎは、２以上の整数）と、
前記第１乃至第Ｎ圧縮データに対し、それぞれに対応する展開処理を行って第１乃至第Ｎ展開データを生成する展開回路部と、
第１乃至第Ｎ＋１階調データ変換回路と、
前記第１乃至第Ｎ圧縮データのうちから出力圧縮データを選択し、前記出力圧縮データを出力する圧縮データ選択回路
とを具備し、
前記第１乃至第Ｎ階調データ変換回路のうちの第ｋ階調データ変換回路（ｋは、１以上Ｎ以下の整数）は、前記第１乃至第Ｎ展開データのうちの第ｋ展開データの各画素ｉについて、前記第ｋ展開データの各画素ｉのＲ階調値Ｒｋｉ、Ｇ階調値Ｇｋｉ及びＢ階調値Ｂｋｉに、関数ｆ（ｘ）をそれぞれに適用して得られる値ｆ（Ｒｋｉ）、ｆ（Ｇｋｉ）、ｆ（Ｂｋｉ）を算出するように構成され、
第Ｎ＋１階調データ変換回路は、前記画像データの各画素ｉについて、前記画像データの各画素ｉのＲ階調値ＲＩＮｉ、Ｇ階調値ＧＩＮｉ及びＢ階調値ＢＩＮｉに関数ｆ（ｘ）をそれぞれに適用して得られる値ｆ（ＲＩＮｉ）、ｆ（ＧＩＮｉ）、ｆ（ＢＩＮｉ）を算出するように構成され、
前記圧縮データ選択回路は、前記第１乃至第Ｎ展開データのそれぞれと前記画像データとの類似度を算出し、算出された前記類似度に応じて前記第１乃至第Ｎ圧縮データのうちから前記出力圧縮データを選択するように構成され、
前記第ｋ展開データと前記画像データとの類似度は、前記第ｋ展開データ及び前記画像データの各画素ｉの｜ｆ（Ｒｋｉ）−ｆ（ＲＩＮｉ）｜、｜ｆ（Ｇｋｉ）−ｆ（ＧＩＮｉ）｜及び｜ｆ（Ｂｋｉ）−ｆ（ＢＩＮｉ）｜に依存して算出され、
前記関数ｆ（ｘ）が、Ｒ階調値Ｒｋｉ、ＲＩＮｉ、Ｇ階調値Ｇｋｉ、ＧＩＮｉ、及びＢ階調値Ｂｋｉ、ＢＩＮｉの許容最小値を下限とし、Ｒ階調値Ｒｋｉ、ＲＩＮｉ、Ｇ階調値Ｇｋｉ、ＧＩＮｉ、及びＢ階調値Ｂｋｉ、ＢＩＮｉの許容最大値を上限とする定義域を有し、前記定義域において広義に単調に増加する凸関数である
圧縮回路。
【請求項１４】
請求項１３に記載の圧縮回路であって、
前記第ｋ展開データと前記画像データの前記類似度Ｓｋが、下記式（５）：
【数５】
2017191413.tif 000006
に従って算出される
圧縮回路。
ここで、ＫＲ、ＫＧ、ＫＢは、前記類似度Ｓｋの算出において、それぞれ、赤、緑、青に与えられる重み付け係数である。
【請求項１５】
請求項１３に記載の圧縮回路であって、
前記第ｋ展開データと前記画像データの前記類似度Ｓｋが、下記式（６）：
に従って算出される
【数６】
2017191413.tif 000007
圧縮回路。
ここで、ＫＲ、ＫＧ、ＫＢは、前記類似度Ｓの算出において、それぞれ、赤、緑、青に与えられる重み付け係数であり、γは、所定の定数である。
【請求項１６】
請求項１３又は１４のいずれかに記載の圧縮回路であって、
前記関数ｆ（ｘ）として、ｘ＾γ（γは所定の定数）を近似する折れ線関数が用いられる
圧縮回路。
【請求項１７】
表示パネルを駆動する表示ドライバであって、
請求項１３乃至１６のいずれかに記載された圧縮回路と、
前記圧縮回路から受け取った前記出力圧縮データを記憶する画像メモリと、
前記画像メモリから受け取った前記出力圧縮データを展開して展開後画像データを生成する展開回路と、
前記展開後画像データに応じて前記表示パネルを駆動する駆動部
とを具備する
表示ドライバ。
【請求項１８】
請求項１７に記載の表示ドライバであって、
更に、
前記関数ｆ（ｘ）に含まれる係数を指定する第１設定パラメータを保持する第１設定レジスタを具備する
表示ドライバ。
【請求項１９】
表示パネルを駆動する表示ドライバであって、
請求項１４又は１５に記載された圧縮回路と、
前記圧縮回路から受け取った前記出力圧縮データを記憶する画像メモリと、
前記画像メモリから受け取った前記出力圧縮データを展開して展開後画像データを生成する展開回路と、
前記展開後画像データに応じて前記表示パネルを駆動する駆動部と、
前記重み付け係数ＫＲ、ＫＧ、ＫＢを指定する第２設定パラメータを保持する第２設定レジスタ
とを具備する
表示ドライバ。
【請求項２０】
表示パネルを駆動する表示ドライバであって、
請求項１５又は１６に記載された圧縮回路と、
前記圧縮回路から受け取った前記出力圧縮データを記憶する画像メモリと、
前記画像メモリから受け取った前記出力圧縮データを展開して展開後画像データを生成する展開回路と、
前記展開後画像データに応じて前記表示パネルを駆動する駆動部
とを具備し、
前記γが、前記表示パネルのガンマ値である
表示ドライバ。
【請求項２１】
表示パネルと、
請求項１３、１４又は１６に記載された圧縮回路と、
前記圧縮回路から出力される前記出力圧縮データを受け取り、前記出力圧縮データを展開して展開後画像データを生成する展開回路と、
前記展開後画像データに応じて前記表示パネルを駆動する駆動部と、
前記関数ｆ（ｘ）に含まれる係数を指定する第１設定パラメータを保持する第１設定レジスタ
とを具備する
表示装置。
【請求項２２】
表示パネルと、
請求項１４又は１５に記載された圧縮回路と、
前記圧縮回路から出力される前記出力圧縮データを受け取り、前記出力圧縮データを展開して展開後画像データを生成する展開回路と、
前記展開後画像データに応じて前記表示パネルを駆動する駆動部と、
前記重み付け係数ＫＲ、ＫＧ、ＫＢを指定する第２設定パラメータを保持する第２設定レジスタ
とを具備する
表示装置。
【請求項２３】
表示パネルと、
請求項１５又は１６に記載された圧縮回路と、
前記圧縮回路から出力される前記出力圧縮データを受け取り、前記出力圧縮データを展開して展開後画像データを生成する展開回路と、
前記展開後画像データに応じて前記表示パネルを駆動する駆動部
とを具備する表示装置であって、
前記γが、前記表示装置又は前記表示パネルのガンマ値である
表示装置。
【請求項２４】
第１画像の各画素ｉについて、前記第１画像の各画素ｉのＲ階調値ＲＰｉ、Ｇ階調値ＧＰｉ及びＢ階調値ＢＰｉに、関数ｆ（ｘ）をそれぞれに適用して得られる値ｆ（ＲＰｉ）、ｆ（ＧＰｉ）、ｆ（ＢＰｉ）を算出するステップと、
第２画像の各画素ｉについて、前記第２画像の各画素ｉのＲ階調値ＲＱｉ、Ｇ階調値ＧＱｉ及びＢ階調値ＢＱｉに、関数ｆ（ｘ）をそれぞれに適用して得られる値ｆ（ＲＱｉ）、ｆ（ＧＱｉ）、ｆ（ＢＱｉ）を算出するステップと、
前記第１画像と前記第２画像の類似度を、前記第１画像及び前記第２画像の各画素ｉの｜ｆ（ＲＰｉ）−ｆ（ＲＱｉ）｜、｜ｆ（ＧＰｉ）−ｆ（ＧＱｉ）｜及び｜ｆ（ＢＰｉ）−ｆ（ＢＱｉ）｜に依存して算出するステップ
とを具備し、
前記関数ｆ（ｘ）が、Ｒ階調値ＲＰｉ、ＲＱｉ、Ｇ階調値ＧＰｉ、ＧＱｉ、及びＢ階調値ＢＰｉ、ＢＱｉの許容最小値を下限とし、Ｒ階調値ＲＰｉ、ＲＱｉ、Ｇ階調値ＧＰｉ、ＧＱｉ、及びＢ階調値ＢＰｉ、ＢＱｉの許容最大値を上限とする定義域を有し、前記定義域において広義に単調に増加する凸関数である
画像処理方法。
【手続補正１８】
【補正対象書類名】図面
【補正対象項目名】図６
【補正方法】変更
【補正の内容】
【図６】
2017191413.tif 000008